(57)【要約】【課題】処方数が多く分包紙１包に印字する領域が多くなった場合に患者または薬剤師が好む印字のパターンを使用者に簡単に選ばせること。【解決手段】薬剤を薬包紙に分包する分包部と、薬包紙に印字する印字部とを備える薬剤分包装置に通信可能に接続され、薬包紙に印字する印字データを生成するコンピュータが、１包の薬包紙に印字する処方種別の名称およびその処方種別の数を受け付け、受け付けた処方種別の数に応じて、受け付けた処方種別の名称を並べて印字する際の印字領域が当該１包の薬包紙の所定領域から超過するかいなかを判定し、超過すると判定された場合には、所定領域から超過する処方種別の名称の印字領域を、１包の薬包紙の所定領域とは異なる印字領域または１包の薬包紙の次包の薬包紙に印字するかをユーザに選択させる選択受付情報を通知する。 【選択図】  図１２
2014162504.tif 000002
【特許請求の範囲】
【請求項１】
薬剤を薬包紙に分包する分包部と、薬包紙に印字する印字部とを備える薬剤分包装置に通信可能に接続され、薬包紙に印字する印字データを生成するコンピュータであって、
１包の薬包紙に印字する処方種別の名称および該処方種別の数を受け付ける処方種別受付手段と
前記受け付けた処方種別の数に応じて、前記受け付けた処方種別の名称を並べて印字する際の印字領域が当該１包の薬包紙の所定領域から超過するかいなかを判定する第１の超過判定手段と、
前記第１の超過判定手段により超過すると判定された場合には、前記所定領域から超過する処方種別の名称の印字領域を、前記１包の薬包紙の前記所定領域とは異なる印字領域または前記１包の薬包紙の次包の薬包紙に印字するかをユーザに選択させる第１の選択受付情報を通知する第１の通知手段と、
を備えることを特徴とするコンピュータ。
【請求項２】
前記第１の選択受付情報を介して、前記所定領域から超過する処方種別の名称の印字領域を、前記１包の薬包紙の前記所定領域とは異なる印字領域または前記１包の薬包紙の次包の薬包紙に印字するかの何れか１つを受け付ける第１の選択受付手段と、
前記１包の薬包紙に印字する処方種別の錠剤数を受け付ける錠剤数受付手段と、
予め定義されている前記１包の薬包紙に分包すべき錠剤数を、前記受け付けた錠剤数が超過するかいなかを判定する第２の超過判定手段と、
前記第２の超過判定手段により超過すると判定された場合には、前記受け付けた錠剤数の一部を前記１包の薬包紙には分包せずに、前記１包の薬包紙の次包の薬包紙に分包するかをユーザに選択させる第２の選択受付情報を通知する第２の通知手段と、
をさらに備えることを特徴とする請求項１に記載のコンピュータ。
【請求項３】
前記１包の薬包紙の次包の薬包紙に印字すると前記第１の選択受付手段が受け付けたあとに、前記受け付けた錠剤数が超過するかいなかを前記第２の超過判定手段が判定することを特徴とする請求項２に記載のコンピュータ。
【請求項４】
前記１包の薬包紙の次包の薬包紙に印字すると前記第１の選択受付手段が受け付けた場合には、超過する処方種別の名称の印字を前記１包の薬包紙の次包の薬包紙に分割した、前記印字部に印刷指示する印字データを生成する第１の印字データ生成手段と、
をさらに備えることを特徴とする請求項２または請求項３に記載のコンピュータ。
【請求項５】
前記所定領域とは異なる前記１包の薬包紙の印字領域に印字すると前記第１の選択受付手段が受け付けた場合には、超過する処方種別の名称を前記１包の薬包紙の所定領域とは異なる印字領域に新規に配置した、前記印字部に印刷指示する印字データを生成する第２の印字データ生成手段と、
をさらに備えることを特徴とする請求項２または請求項４に記載のコンピュータ。
【請求項６】
前記第２の選択受付情報を介して、前記受け付けた錠剤数の一部を、前記１包の薬包紙には分包せずに前記１包の薬包紙の次包の薬包紙に分包するかいなかを受け付ける第２の選択受付手段と、
前記１包の薬包紙の次包の薬包紙に分包すると前記第２の選択受付手段が受け付けた場合には、前記受け付けた錠剤数の一部を前記１包の薬包紙の次包の薬包紙に配分した、前記分包部に分包指示する分包データを生成する第１の分包データ生成手段と、
をさらに備えることを特徴とする請求項２乃至請求項５のいずれか１項に記載のコンピュータ。
【請求項７】
薬剤を薬包紙に分包する分包部と、薬包紙に印字する印字部とを備える薬剤分包装置に通信可能に接続され、薬包紙に印字する印字データを生成するコンピュータの制御方法であって、
前記コンピュータの処方種別受付手段が、１包の薬包紙に印字する処方種別の名称および該処方種別の数を受け付ける処方種別受付工程と
前記コンピュータの第１の超過判定手段が、前記受け付けた処方種別の数に応じて、前記受け付けた処方種別の名称を並べて印字する際の印字領域が当該１包の薬包紙の所定領域から超過するかいなかを判定する第１の超過判定工程と、
前記コンピュータの第１の通知手段が、前記第１の超過判定工程により超過すると判定された場合には、前記所定領域から超過する処方種別の名称の印字領域を、前記１包の薬包紙の前記所定領域とは異なる印字領域または前記１包の薬包紙の次包の薬包紙に印字するかをユーザに選択させる第１の選択受付情報を通知する第１の通知工程と、
を含むことを特徴とする制御方法。
【請求項８】
薬剤を薬包紙に分包する分包部と、薬包紙に印字する印字部とを備える薬剤分包装置に通信可能に接続され、薬包紙に印字する印字データを生成するコンピュータで読み取り実行可能なプログラムであって、
前記コンピュータを、
１包の薬包紙に印字する処方種別の名称および該処方種別の数を受け付ける処方種別受付手段と
前記受け付けた処方種別の数に応じて、前記受け付けた処方種別の名称を並べて印字する際の印字領域が当該１包の薬包紙の所定領域から超過するかいなかを判定する第１の超過判定手段と、
前記第１の超過判定手段により超過すると判定された場合には、前記所定領域から超過する処方種別の名称の印字領域を、前記１包の薬包紙の前記所定領域とは異なる印字領域または前記１包の薬包紙の次包の薬包紙に印字するかをユーザに選択させる第１の選択受付情報を通知する第１の通知手段と、
して機能させることを特徴とするプログラム。
【請求項９】
薬剤を薬包紙に分包する分包部と、薬包紙に印字データを印字する印字部とを備える薬剤分包装置であって、
１包の薬包紙に印字する処方種別の名称および該処方種別の数を受け付ける処方種別受付手段と
前記受け付けた処方種別の数に応じて、前記受け付けた処方種別の名称を並べて印字する際の印字領域が当該１包の薬包紙の所定領域から超過するかいなかを判定する第１の超過判定手段と、
前記第１の超過判定手段により超過すると判定された場合には、前記所定領域から超過する処方種別の名称の印字領域を、前記１包の薬包紙の前記所定領域とは異なる印字領域または前記１包の薬包紙の次包の薬包紙に印字するかをユーザに選択させる第１の選択受付情報を通知する第１の通知手段と、
を備えることを特徴とする薬剤分包装置。
【請求項１０】
薬剤を薬包紙に分包する分包部と、薬包紙に印字データを印字する印字部とを備える薬剤分包装置の制御方法であって、
前記薬剤分包装置の処方種別受付手段が、１包の薬包紙に印字する処方種別の名称および該処方種別の数を受け付ける処方種別受付工程と
前記薬剤分包装置の第１の超過判定手段が、前記受け付けた処方種別の数に応じて、前記受け付けた処方種別の名称を並べて印字する際の印字領域が当該１包の薬包紙の所定領域から超過するかいなかを判定する第１の超過判定工程と、
前記薬剤分包装置の第１の通知手段が、前記第１の超過判定工程により超過すると判定された場合には、前記所定領域から超過する処方種別の名称の印字領域を、前記１包の薬包紙の前記所定領域とは異なる印字領域または前記１包の薬包紙の次包の薬包紙に印字するかをユーザに選択させる第１の選択受付情報を通知する第１の通知工程と、
を含むことを特徴とする制御方法。
【請求項１１】
薬剤を薬包紙に分包する分包部と、薬包紙に印字データを印字する印字部とを備える薬剤分包装置で読み取り実行可能なプログラムであって、
前記薬剤分包装置を、
１包の薬包紙に印字する処方種別の名称および該処方種別の数を受け付ける処方種別受付手段と
前記受け付けた処方種別の数に応じて、前記受け付けた処方種別の名称を並べて印字する際の印字領域が当該１包の薬包紙の所定領域から超過するかいなかを判定する第１の超過判定手段と、
前記第１の超過判定手段により超過すると判定された場合には、前記所定領域から超過する処方種別の名称の印字領域を、前記１包の薬包紙の前記所定領域とは異なる印字領域または前記１包の薬包紙の次包の薬包紙に印字するかをユーザに選択させる第１の選択受付情報を通知する第１の通知手段と、
して機能させることを特徴とするプログラム。
【発明の詳細な説明】
【技術分野】
【０００１】
コンピュータ、薬剤分包装置、およびその制御方法とプログラムに関する。
【背景技術】
【０００２】
従来、調剤業務において、錠剤を分包機にセットして錠剤を分包する作業をしている。具体的には、セットされた錠剤は分包紙に送られ、１包ごとにヒーターで温められたシール部で圧着されさらに、圧着されるまえに必要な処方箋を分包紙に印字している。この時、分包紙に印字したい情報量が多い場合、分包紙の印字可能な範囲を超えてしまい、分包紙に印字したい情報の一部が欠落してしまう。そのような場合の１つとして、特許文献１のような印字技術が開示されている。
特許文献１には、温布薬等の包装袋には収容できない薬剤が処方箋にある時に、空の包装紙にその服用データを印字する技術が開示されている。
【先行技術文献】
【特許文献】
【０００３】
【特許文献１】特許第３１２２６１１号公報
【発明の概要】
【発明が解決しようとする課題】
【０００４】
特許文献１のように空の包装紙に印字する余分な包装紙が発生するので、余分な包装紙が発生を好まない患者または薬剤師の嗜好に柔軟に応じることはできない。
【０００５】
本発明は、処方数が多く分包紙１包に印字する領域が多くなった場合に、患者または薬剤師が好む印字のパターンを使用者に簡単に選ばせることができる仕組みを提供することを目的とする。
【課題を解決するための手段】
【０００６】
本発明は、薬剤を薬包紙に分包する分包部と、薬包紙に印字する印字部とを備える薬剤分包装置に通信可能に接続され、薬包紙に印字する印字データを生成するコンピュータであって、１包の薬包紙に印字する処方種別の名称および該処方種別の数を受け付ける処方種別受付手段と前記受け付けた処方種別の数に応じて、前記受け付けた処方種別の名称を並べて印字する際の印字領域が当該１包の薬包紙の所定領域から超過するかいなかを判定する第１の超過判定手段と、前記第１の超過判定手段により超過すると判定された場合には、前記所定領域から超過する処方種別の名称の印字領域を、前記１包の薬包紙の前記所定領域とは異なる印字領域または前記１包の薬包紙の次包の薬包紙に印字するかをユーザに選択させる第１の選択受付情報を通知する第１の通知手段と、を備えることを特徴とする。
【０００７】
また、前記第１の選択受付情報を介して、前記所定領域から超過する処方種別の名称の印字領域を、前記１包の薬包紙の前記所定領域とは異なる印字領域または前記１包の薬包紙の次包の薬包紙に印字するかの何れか１つを受け付ける第１の選択受付手段と、前記１包の薬包紙に印字する処方種別の錠剤数を受け付ける錠剤数受付手段と、
【０００８】
予め定義されている前記１包の薬包紙に分包すべき錠剤数を、前記受け付けた錠剤数が超過するかいなかを判定する第２の超過判定手段と、前記第２の超過判定手段により超過すると判定された場合には、前記受け付けた錠剤数の一部を前記１包の薬包紙には分包せずに、前記１包の薬包紙の次包の薬包紙に分包するかをユーザに選択させる第２の選択受付情報を通知する第２の通知手段と、をさらに備えることを特徴とする。
【０００９】
また、前記１包の薬包紙の次包の薬包紙に印字すると前記第１の選択受付手段が受け付けたあとに、前記受け付けた錠剤数が超過するかいなかを前記第２の超過判定手段が判定することを特徴とする。
【００１０】
また、前記１包の薬包紙の次包の薬包紙に印字すると前記第１の選択受付手段が受け付けた場合には、超過する処方種別の名称の印字を前記１包の薬包紙の次包の薬包紙に分割した、前記印字部に印刷指示する印字データを生成する第１の印字データ生成手段と、をさらに備えることを特徴とする。
【００１１】
また、前記所定領域とは異なる前記１包の薬包紙の印字領域に印字すると前記第１の選択受付手段が受け付けた場合には、超過する処方種別の名称を前記１包の薬包紙の所定領域とは異なる印字領域に新規に配置した、前記印字部に印刷指示する印字データを生成する第２の印字データ生成手段と、をさらに備えることを特徴とする。
【００１２】
また、前記第２の選択受付情報を介して、前記受け付けた錠剤数の一部を、前記１包の薬包紙には分包せずに前記１包の薬包紙の次包の薬包紙に分包するかいなかを受け付ける第２の選択受付手段と、前記１包の薬包紙の次包の薬包紙に分包すると前記第２の選択受付手段が受け付けた場合には、前記受け付けた錠剤数の一部を前記１包の薬包紙の次包の薬包紙に配分した、前記分包部に分包指示する分包データを生成する第１の分包データ生成手段と、をさらに備えることを特徴とする。
【発明の効果】
【００１３】
本発明により、処方数が多く分包紙１包に印字する領域が多くなった場合に、患者または薬剤師が好む印字のパターンを使用者に簡単に選ばせることができる仕組みを提供することが可能となる。
【図面の簡単な説明】
【００１４】
【図１】薬剤分包システム全体の外観を示す図。
【図２】錠剤供給装置の外観を示す図。
【図３】錠剤取出ユニットの内部構造を示す図。
【図４】錠剤取出ユニットの内部構造を示す図。
【図５】錠剤供給装置の内部構造を示す図。
【図６】錠剤供給ユニットの内部構造を示す図。
【図７】薬剤分包ユニットの内部構造を示す図。
【図８】薬剤分包ユニットの内部構造を示す図。
【図９】薬剤分包装置の外観を示す図
【図１０】コンピュータ（または薬剤分包装置）が表示する画面遷移図。
【図１１】印字レイアウトの１例。
【図１２】コンピュータ（または薬剤分包装置）が表示する確認画面。
【図１３】コンピュータ（または薬剤分包装置）のフローチャート
【図１４】薬剤分包装置による印字動作に必要な印字データ。
【図１５】薬剤分包装置による分包動作に必要な分包データ。
【図１６】分包動作後の、印字と分包結果の１例。
【図１７】選択された処方データの各項目（薬剤詳細）を個別に編集する画面。
【発明を実施するための形態】
【００１５】
図１を説明する。
図１は、薬剤分包装置５と錠剤供給装置１０を示す図である。
錠剤供給装置１０及び錠剤供給装置１０から供給された錠剤を包装する薬剤分包装置５とで構成されている薬剤分包システムである。
【００１６】
錠剤供給システムは、複数の錠剤をそれぞれ錠剤収容部５２に封入した錠剤シート５１から錠剤５０を取り出して、取り出された錠剤を包装する薬剤分包装置５に供給する。
１は錠剤取出ユニットであり、錠剤シートから錠剤を取り出すユニットである。
【００１７】
錠剤供給装置には複数の錠剤取出ユニット１が収納されている。錠剤取出ユニットは、幅方向（左右方向）に６つが並べられ、この６つの錠剤取出ユニットからなる組が上下に３段に配置されている。すなわち、錠剤取出ユニット１は、左右６列、上下３段に配列されている。
錠剤供給装置１０は複数の錠剤取出ユニット１を備えているが、錠剤取出ユニット１の数は１でもよい。
５は薬剤分包装置であり、錠剤供給装置１０の錠剤取出ユニット１から供給された錠剤を包装する装置である。
【００１８】
また薬剤分包装置５は、手撒きの錠剤５０の収容部が複数配列されている錠剤マス１０３を備え、予め設定された分包数まで、錠剤マス１０３に投入される錠剤５０を錠剤マス毎に順次分包するように動作する。
【００１９】
１０は錠剤供給装置であり、錠剤取出ユニット１により錠剤シートから錠剤を取り出して供給する。錠剤供給装置１０は複数の錠剤取出ユニット１を備えている。
錠剤供給装置１０は、複数の錠剤をそれぞれ錠剤収容部に封入した錠剤シートから錠剤を取り出して供給する。
錠剤供給装置１０は、１または複数の錠剤取出しユニット１と、錠剤取出ユニット１で取り出された錠剤を供給する供給ユニットとを備えている。
【００２０】
１０３は錠剤供給装置１０を使用せずに薬剤分包装置５側で錠剤を包装したい場合に人の手によって錠剤が錠剤をセットされる錠剤マスである。錠剤供給装置１０からの錠剤と手撒き錠剤部からの錠剤を混合して１包にまとめることができる。手撒きの錠剤５０を１包毎に投入するためのものである。
【００２１】
錠剤マス１０３のみを錠剤供給装置にして錠剤シート５１から錠剤５０を手で取り出してから錠剤マス１０３に投入した手撒きの錠剤を、１包毎に包装する薬剤分包装置５に供給してもよい。
１０４はＬＣＤ操作パネルである。作業者による包装数等の入力や、スタートボタンにより包装動作の開始指示を受け付ける部分である。
ＬＣＤ操作パネル１０４は、錠剤マス１０３に手撒きの錠剤５０を投入すべきマス配列１９１２を案内するための錠剤マス画面１９０８を表示する。
２は薬剤分包装置５及び錠剤供給装置１０と制御コンピュータ３とが通信可能に接続する為の通信ケーブルである。
３は薬剤分包装置５及び錠剤供給装置１０と通信する制御コンピュータである。
なお、制御コンピュータ３が薬剤分包装置５の内部に内蔵されていてもよい。
４は制御コンピュータが処方データを受信するために通信する外部機器（調剤コントローラ）である。
図２を説明する。
図２は、錠剤供給装置１０を示す図である。
尚、錠剤供給装置１０を前面側から見た図である。
２０３は半端な数の錠剤が残っていない新品の錠剤シートの投入口である。
図３を説明する。
図３は、錠剤取出ユニット１の内部構造を示す図である。
尚、錠剤取出ユニット１を前面側から見た図である。
【００２２】
錠剤取出ユニット１は、錠剤シートを搬送する搬送機構と、搬送機構により搬送された錠剤シートが載置される載置台と、載置台上の錠剤シートの錠剤収容部を押圧して錠剤を取り出す押出し機構とを有している。
５１は半端な数の錠剤が残っていない新品の錠剤シートである。
【００２３】
錠剤シートは、錠剤を収容する錠剤収容部を有するシート本体の下面に、アルミニウム等からなる金属箔などを用いた封止シートを設けることによって錠剤を錠剤収容部に密封したものである。錠剤シートは、シート部上に凸状の錠剤収容部が幅方向に間隔をおいて２列に並んだ形態である。各列をなす複数の錠剤収容部は錠剤シートの長さ方向に沿って並んでいる。
【００２４】
なお、錠剤シートとしては、シート部上に錠剤収容部が２列に並んだ形態のものに限らず、錠剤収容部が錠剤シートの長さ方向に１列に並んだ形態や、錠剤収容部が幅方向に間隔をおいて３列以上の複数列に並んだ形態も可能である。
図４を説明する。
図４は、錠剤取出ユニット１の内部構造（断面）を示す図である。
錠剤シート投入口へシートをセットし、ＰＴＰシートを除包位置（錠剤の取出位置）まで搬送を行った際の図である。
【００２５】
錠剤取出ユニット１は、錠剤シートを搬送する錠剤シート搬送機構（搬送機構）と、錠剤シートが載置される載置台１８と、半端な数の錠剤が残っていない新品の錠剤シートから錠剤を取り出す錠剤取出機構（押出し機構）とを備えている。
３９は下部ローラである。
【００２６】
錠剤シート搬送機構は、錠剤シートを進行方向に向け搬送するものであって、進行方向に互いに間隔をおいて設けられた下部ローラと、進行方向に互いに間隔をおいて設けられた上部ローラとを備えている。
【００２７】
搬送機構３９は、錠剤収容部の押圧を継続するまえに載置台上の押圧される位置から所定の距離だけ錠剤シートをさらに搬送し、押出し機構が、錠剤収容部の押圧を継続（リトライ）する。
下部ローラは駆動源により回転駆動可能であり、シート部の下面に当接して錠剤シートに進行方法への力を加えることができる。
上部ローラは、駆動源により回転駆動可能であり、シート部の上面に当接して錠剤シートに進行方向への力を加えることができる。
上部ローラの幅方向の位置は、２列の錠剤収容部の間に相当する位置であるため、上部ローラは錠剤収容部５２に当接することはない。
【００２８】
下部ローラと上部ローラはシート部を上下から挟み込んで錠剤シートを進行方向に搬送できる。さらに下部ローラと上部ローラはシート部を上下から挟み込んで錠剤シート５１を進行方向とは逆の方向にも搬送できる。
２４は導入シュートである。
導入シュート２４により半端な数の錠剤が残っていない新品の錠剤シートから押出し機構により取り出された錠剤が供給される（シート錠剤供給機構）。
導出シュート２４は、排出口３０に落とし込まれた錠剤を導くものであって、排出口３０を含む大きさの上部開口を有し、載置台の下面側に設けられている。
錠剤取出しユニットは、載置台上の錠剤シートの錠剤収容部を押圧する速度を変更させる変更機構をさらに有している。
押出し機構は、より高速に変更された速度で錠剤収容部の押圧を継続（リトライ）する。
押出し機構は、錠剤収容部の中央付近を押圧する内側押圧体８３と、中央付近よりも外側の部分を押圧する外側押圧体８４とを含んでいる。
内側押圧体と外側押圧体とが独立して動作することで錠剤収容部を押圧して錠剤を取り出す。
押出し機構は、内側押圧体よりも先に外側押圧体により錠剤収容部を押圧させる。
【００２９】
８３は内側押圧体である。内側押圧体の先端は、ほとんどの錠剤シートの錠剤収容部よりも面積が狭いので、内側押圧体は錠剤を取り出す場合（下降した場合）に、錠剤シートに開いた穴から先端が突き出る。
【００３０】
８４は外側押圧体である。外側押圧体の先端は、ほとんどの錠剤シートの錠剤収容部よりも面積が広いので、錠剤を取り出す場合（下降した場合）に、錠剤シートに開いた穴から先端が突き出ない。つまり錠剤シートの錠剤収容部を押し潰すためのものである。
錠剤取出機構（押出し機構）は、外側押圧体を昇降させる第１昇降機構と、内側押圧体を昇降させる第２昇降機構とを有する。
【００３１】
第１昇降機構は、外側押圧体が取り付けられた第１昇降体と、回転駆動して第１昇降体を昇降させるカムと、第１昇降体を上昇方向に付勢する付勢部材（ばね）とを備えている。
【００３２】
第１昇降体は、前後方向にわたって延在する柱状体であり、前端部に外側押圧体が取り付けられている。カムは、外側押圧体の昇降動作を考慮して設計された形状の板状体であり、図示せぬ駆動機構によって回転駆動する軸部に固定されている。カムは、第１昇降体の上面側に設けられ、軸部の回転に伴って回転駆動し、第１昇降体を押圧することによって高さ位置を調整し、これによって外側押圧体の高さ位置を調整することができる。第１昇降機構は、カムの回転動作のタイミング、カムの形状、軸部に対するカムの固定位置などの設定によって、外側押圧体の昇降動作のタイミングや変位量を任意に設定できる。
【００３３】
第２昇降機構は、内側押圧体が取り付けられた第２昇降体と、回転駆動して第２昇降体を昇降させるカムと、第２昇降体を上昇方向に付勢する付勢部材（ばね）とを備えている。
【００３４】
第２昇降体は、前後方向にわたって延在する柱状体であり、前端部に内側押圧体が取り付けられている。カムは、第２昇降体の上面側に設けられ、軸部の回転に伴って回転駆動し、第２昇降体を押圧して高さ位置を調整し、これによって内側押圧体の高さ位置を調整することができる。第２昇降機構は、カムの回転動作のタイミング、カムの形状、軸部に対するカムの固定位置などの設定によって、内側押圧体の昇降動作のタイミングや変位量を任意に設定できる。
【００３５】
このため、カム９４とカム９９は、それぞれ第１昇降体と第２昇降体に対して互いに独立に動作可能であり、内側押圧体と外側押圧体は、互いに独立に昇降動作させることができる。
【００３６】
錠剤取出機構における２つのカムの回転動作のタイミング等は、錠剤位置検出機構の検出部からの信号に基づいて定めることができる。具体的には、検出された錠剤収容部の位置に合わせて内側押圧体と外側押圧体を動作させることができる。
錠剤取出ユニット１は、錠剤収容部の押圧をするまえに、押圧される錠剤収容部の長さを検出する検出機構１７をさらに有している。
錠剤供給装置１０は、検出した錠剤収容部の長さに基づいて所定の距離を算出する算出部をさらに有している。
検出機構１７は、押圧される錠剤収容部の長さを検出するとともに押圧される錠剤収容部の位置をさらに検知する。
錠剤供給装置１０は、検知された錠剤収容部の位置に基づいて、押圧される位置までの搬送距離を算出する算出部をさらに有する。
搬送機構３９は、搬送距離により載置台上の錠剤収容部が押圧される位置まで錠剤シートを搬送する。
搬送機構３９は、所定の距離だけ前方または後方に錠剤シートを搬送する。
図５を説明する。
図５は、錠剤供給装置１０の内部構造を示す図である。
尚、錠剤供給装置１０を背面側から見た図である。
【００３７】
２０４は、光学センサ（ビームセンサ）であり、落下物を検知するものである。除包された錠剤が排出ホッパ（導入シュート）内を落下する際、除包された錠剤がビームセンサ上を通過し、ビームセンサを遮光する。このビームセンサが遮光された状態をＯＮ状態とし、遮光されていない状態をＯＦＦ状態とする。このＯＮ／ＯＦＦ状態を用いて落下物の判定を行っている。
錠剤落下検知機構２０４は、光学センサと落下錠剤カウンタとを有する。
錠剤供給装置１０は、押圧により錠剤収容部から錠剤が取り出されたかいなかを判定するべく、取り出された錠剤を検知する検知機構２０４を有している。
錠剤供給装置１０は、錠剤収容部から取り出された錠剤の個数を計数（カウント）するべく、取り出された錠剤を検知する検知機構２０４を有している。
【００３８】
錠剤供給装置１０は、検知機構２０４が、所定の個数を超えた取り出された錠剤の個数を計数した場合には、薬剤分包装置５にエラー処理を実行させるべく要求するエラー処理要求部を有する。
薬剤分包装置５にエラー処理を実行させるべく要求するエラー処理要求工程。
錠剤供給装置１０は、押出し機構が押圧動作中であるかいなかを判断する判断部をさらに有する。
【００３９】
検知機構２０４は、判断部により押圧動作中であると判断されている場合には、錠剤収容部から取り出された錠剤の個数を計数することで、押圧動作による異物の混入を検知する。
検知機構２０４は、判断部により押圧動作中であると判断されている場合には、所定の個数を少なくとも１に設定する。
【００４０】
検知機構２０４は、判断部により押圧動作中ではないと判断されている場合には、錠剤収容部から取り出された錠剤の個数を計数することで、押圧動作によらない取出しミスを検知する。
検知機構２０４は、判断部により押圧動作中ではないと判断されている場合には、所定の個数を０に設定することを特徴とする。
【００４１】
押出し機構は、取り出された錠剤が検知されない場合には錠剤収容部の押圧を継続（リトライ）し、取り出された錠剤が検知された場合には錠剤収容部の押圧を継続（リトライ）しない。
４０１は、錠剤導入路である。錠剤シートから取り出され落下した錠剤を導入シュート２４から第１集積ホッパに中継する。
図６を説明する。
図６は、錠剤供給ユニット４００の内部構造を示す図である。
４０２は第１集積ホッパである。錠剤シートから取り出され落下した錠剤を集積する。
５０１は第２集積ホッパである。第１集積ホッパで集積された錠剤をさらに集積する。
５０２は第１の送り出し機構である。第２集積ホッパで集積された錠剤を第３の集積ホッパに移動させる。
５０３は第３集積ホッパである。送り出された錠剤を集積する。
５０４は第２の送り出し機構である。第３集積ホッパで集積された錠剤をメインホッパに移動させる。
５０５はメインホッパである。送り出された錠剤を集積し、包装シート（分包紙）の中に集積した錠剤を投入する。
図７を説明する。
図７は、薬剤分包ユニット７０１の内部構造を示す図である。
７０２は包装シートが連なるロール紙を包装機構に送り出すロール紙送出機構である。
７０３は加熱溶着により、包装シートの中に投入された錠剤を包装シートの中に封入する（包装機構）。
７０４は加熱溶着により、包装シートの中に投入された錠剤を包装シートの中に封入する（包装機構）。
【００４２】
包装機構は、シート錠剤供給機構または手撒き錠剤供給機構９０１の少なくとも１つから供給された１包に包装される数の錠剤を１包毎の包装シートに包装（分包）する。
７０５は、連なるロール紙を１包毎の包装シートに分断するための分断用ミシン目を包装シートに形成する。（分断機構）
７０６はプリンタであり、包装シート（薬包紙）に、日付、患者データ、エラー情報を印字する（印字機構）。
薬剤分包装置５は、コンピュータ３からの要求を受け付ける受付部を有している。
薬剤分包装置５は、取り出された錠剤を個別の包装シート毎に分けて包装する包装機構７０４を有している。
薬剤分包装置５は、個別の包装シート毎の情報を印字する印字機構７０６を有している。
印字機構７０６は、受付部が要求を受け付けた場合に、所定の個数を超えた錠剤が包装されている個別の包装シートにエラー処理にかかる情報を印字する。
エラー処理にかかる情報とは、押圧動作による異物の混入を報知する情報である。
エラー処理にかかる情報とは、押圧動作によらない取出しミスを報知する情報である。
薬剤分包装置５または錠剤供給装置１０のいずれか１方は、取り出された錠剤が、包装機構７０４よりに包装されるタイミングを制御する制御部を有している。
前記印字機構が、前記包装機構により前記取り出された錠剤が包装シートに包装されるまえに印字する錠剤供給システム。
図８を説明する。
図８は、薬剤分包ユニット７０１の内部構造を示す図である。
８０１は隣り合う一包化された包装シートの境界部分に形成された分断用ミシン目である。
８０２は一包化された包装シートである。エラー処理が発生した包装シートにはエラー情報の内容が印字（印刷）されている。
５０は一包化された錠剤である。
図９を説明する。
図９は薬剤分包装置５を上方から見た図である。
薬剤分包装置５の上部にある手撒き錠剤部１０３とそれを構成する錠剤マスの拡大図である。
９０１は手撒きによる錠剤をセットする１個の錠剤マス（ここでは４番目のマス）である。
【００４３】
錠剤マスは手撒きの錠剤をセットして、包装することが出来る。一番左上のマスが１包目に包装されるマスであり、その１つ下のマスが２包目、その下が３包目、１つ右の列に移動してその一番上のマスが４包目・・・と、左上から順に包装動作を行う。包装動作時に、同時に薬剤や錠剤供給装置１０を組み合わせて包装して１包化する事が出来る。
予め半端な数の錠剤が残っている錠剤シートから取り出されている錠剤を供給する。
５０は錠剤（３錠）である。
図１０を説明する。
印字ソフトの、画面遷移図である。
１００１は、印字ソフトウエアの操作メイン画面である。
１００２は、１００１より呼び出される、処方編集画面である。
１００３は、１００１より呼び出される、印字レイアウトマスタ画面である。
１００４は、１００１より呼び出される、選択画面である。選択画面の内容は、図１３で説明する。
図１１を説明する。
印字ソフトウエアの操作画面上で設定する、印字レイアウトの１例を示した図である。
１１０１は、入力された患者名が印字される領域である。例えば、患者名をテスト  太郎と入力した場合、１１０１の位置にテスト  太郎と分包紙へ印字する。
１１０２は、印字範囲の縦幅である。
【００４４】
１１０３は、印字範囲の横幅である。横幅は、作業者が１包に分包する薬剤量を元に設定することが出来る。薬剤量が少ない場合は少ない紙幅を選択して、分包紙の節約を行うことが出来る。また、薬剤量が多い場合は、紙幅を大きくして１包内に正しく分包できるようにすることが出来る。紙幅は、８０ｍｍや９０ｍｍなどを１００３の画面で設定することが出来る。
【００４５】
１１０４は、入力された薬品名を印字する領域である。例えば、薬品名に、薬品名１、薬品名２、薬品名３、と入力した場合、１１０４の位置より薬品名１〜３を下方向へ向かって順番に分包紙へ印字する。
【００４６】
１１０５は、入力された用法の服用時点を印字する領域である。例えば、用法が分３毎食後を選択した場合、朝の分包時では朝食後、昼の分包時では昼食後、夕の分包時では夕食後を１１０５の位置にそれぞれ印字する。
１１０６は、入力された服用日を印字する領域である。例えば、２月１日と入力された服用日は用法内容ごとにカウントアップしていく。その服用日を１１０６の位置にそれぞれ印字する。
図１２を説明する。
コンピュータ３が表示する、確認画面の各図の１例を示したものである。
【００４７】
１２０１は、印字タイプの選択画面である。印字を次包に分割して印字するかいなかを選択する画面である。図の例ではラジオボタンにより『強引に印字させる』が選択された状態を示している。その後決定ボタンが押下されることにより選択が確定する。
【００４８】
１２０２は、錠剤を分割して分包するかいなかを選択する画面である。図の例ではラジオボタンにより『分割して分包する』が選択された状態を示している。その後決定ボタンが押下されることにより選択が確定する。
図１３を説明する。
印字ソフトの、フローチャートの図である。
【００４９】
メイン画面１００１の処方データの一覧リストから、各処方データが既に登録（入力）済み１つの処方データ１０１０が指定された状態で、予約ボタン１０１１が押下されると、以下の処理を開始する。
ステップＳ１３０１でコンピュータ３は、モードＮｏの変数を決定する処理である。
ステップＳ１３０２でコンピュータ３は、分包紙に印字する情報が分包紙の印字範囲からはみ出してしまうかいなかを判断する。
【００５０】
つまり受け付けた処方種別の数に応じて、受け付けた処方種別の名称を並べて印字する際の印字領域がこの１包の薬包紙の所定エリア（あるいは所定幅）から超過するかいなかを判定している（第１の超過判定手段）。
【００５１】
尚、ステップＳ１３０２では図１１に示した印字データを元に、入力された処方データの各項目データ（服用日、患者名、服用時期、薬品名一覧等）を１包に印字する際に、分包紙１包の縦幅×横幅を印字可能な範囲とした場合、各項目データを所定領域に並べて配置した後に、いずれかの印字すべき情報（各項目データ）が分包紙１包の所定領域である縦幅あるいは横幅からはみ出しているのかを判断してもよい。
ステップＳ１３０２においてはみ出ると判断した場合にはステップＳ１３０３に遷移し、はみ出ないと判断した場合にはステップＳ１３０７に遷移する。
ステップＳ１３０３でコンピュータ３は、１２０１に１例を示したような選択画面を表示する。
【００５２】
つまりステップＳ１３０２において超過すると判定された場合には、所定領域から超過する処方種別の名称の印字領域を、１包の薬包紙の所定領域とは異なる印字領域または１包の薬包紙の次包の薬包紙に印字するかをユーザに選択させるために１２０１のような選択画面（第１の選択受付情報）を画面に表示することで通知する（第１の通知手段）。
【００５３】
さらにステップＳ１３０３でコンピュータ３は、選択画面１２０１（第１の選択受付情報）を介して、所定領域から超過する処方種別の名称の印字領域を、各服用タイミングにおいて１包目の薬包紙の所定領域とは異なる印字領域に印字するか、あるいは１包目の薬包紙の次包に新しく追加した薬包紙の方に印字するかの何れか１つを受け付けている（第１の選択受付手段）。
【００５４】
ステップＳ１３０４でコンピュータ３は、決定ボタンが押下されたかの判断分岐である。１２０１の決定ボタンが押下された場合、ステップＳ１３０５へ遷移する。押下されない場合は、ステップＳ１３０４へ遷移する。
【００５５】
ステップＳ１３０５でコンピュータ３は、１２０１の選択画面において『強引に印字させる』が選択されたかの判断分岐である。『強引に印字させる』が選択された場合ステップＳ１３０６へ遷移する。そうでなく『次の空包に印字する』が選択された場合Ｓ１３３１へ遷移する。
ステップＳ１３０６でコンピュータ３は、モードＮｏへ０（１５０１）を設定する処理である。ステップＳ１３０７へ遷移する。
【００５６】
ステップＳ１３０７でコンピュータ３は、処方データに登録されている薬剤数が、分包機が１包あたりに包装できる上限数あるいは１包あたりで患者が飲む量として推奨する錠剤数を超えていないかを判断する。
【００５７】
つまりコンピュータ３に予め定義されている１包の薬包紙に分包すべき推奨する錠剤数を、受け付けた錠剤数が超過するかいなかを判定している（第２の超過判定手段）。
【００５８】
尚、ここで超過するかいなかを判定する推奨する錠剤数は、複数の錠剤種別をすべて合計されたトータル錠剤数（合計４錠以上で超過）であってもよく、各錠剤種別で小計された錠剤種別ごとの錠剤数（小計４錠以上で超過）であってもよい。
【００５９】
ステップＳ１３０７において１包あたりの包装上限数を超えると判定された場合にはステップＳ１３０８へ遷移し、超えないと判定された場合には、ステップＳ１３１２へ遷移する。
【００６０】
本発明においては、１包の薬包紙の次包の薬包紙に印字すると選択画面１２０１で受け付けたあとに、受け付けた錠剤数が超過するかいなかをステップＳ１３０７において判定することで、結果として印字領域を１包から２包に分割するのであれば、ついでに分包も患者が１包で飲みやすい数に分配することで、分割した薬包紙を、印字と分包の両方の面で有効に利用することができる。
ステップＳ１３０８でコンピュータ３は、１２０２の選択画面を表示する。
【００６１】
つまりステップＳ１３０７において超過すると判定された場合には、受け付けた錠剤数の一部を１包の薬包紙には分包せずに、１包の薬包紙の次包の薬包紙に分包するかをユーザに選択させるために１２０２のような選択画面（第２の選択受付情報）を画面に表示することで通知する（第２の通知手段）。
【００６２】
さらにステップＳ１３０３でコンピュータ３は、選択画面１２０２（第２の選択受付情報）を介して、受け付けた錠剤数の一部を、各服用タイミングにおいて１包目の薬包紙には分包せずに１包目の薬包紙の次包の薬包紙に分包するかいなかを受け付けている（第２の選択受付手段）。
【００６３】
ステップＳ１３０９でコンピュータ３は、決定ボタンが押下されたかの判断分岐である。１２０２の決定ボタンが押下された場合、ステップＳ１３１０へ遷移する。押下されない場合は、ステップＳ１３０９へ遷移する。
【００６４】
ステップＳ１３１０でコンピュータ３は、１２０２の選択画面で、分割して分包する、を選択されたかの判断処理である。選択された場合、ステップＳ１３１１へ遷移する。そうでない場合、ステップＳ１３１２へ遷移する。
ステップＳ１３１１でコンピュータ３は、分包モードＮｏを２（１５０３）に設定する処理である。ステップＳ１３１２へ遷移する。
【００６５】
ステップＳ１３１２でコンピュータ３は、分包モードＮｏが０に設定されているか（１５０１であるか）の判定処理である。０である場合、ステップＳ１３１３へ遷移する。０以外の場合、ステップＳ１３３２へ遷移する。
ステップＳ１３１３でコンピュータ３は、強引に印字した内容の印字データを作成する。
【００６６】
つまり所定領域とは異なる１包の薬包紙の印字領域に印字するために『強引に印字させる』の方を選択画面１２０１が受け付けた場合には、超過する処方種別の名称を１包の薬包紙の所定領域とは異なる印字領域に新規に配置するように印字部７０６に印刷指示するための印字データを生成している（第２の印字データ生成手段）。
処方内容で指定された包数分の印字データを作成する。詳細は１４０２である。ステップＳ１３１４へ遷移する。
【００６７】
ステップＳ１３１４でコンピュータ３は、分包データを作成する処理である。入力された処方内容と、モードＮｏより分包データを作成する。詳細は、図１５で説明する。終了処理へ遷移する。
ステップＳ１３３１でコンピュータ３は、モードＮｏを１（１５０２）へ設定する処理である。ステップＳ１３０７へ遷移する。
【００６８】
ステップＳ１３３２でコンピュータ３は、分包モードＮｏが１に設定されているか（１５０２であるか）の判定処理である。１である場合、ステップＳ１３３３へ遷移する。１以外の場合、ステップＳ１３６１へ遷移する。
ステップＳ１３３３でコンピュータ３は、次包（空包）に印字するための印字データを作成する。
【００６９】
つまり１包の薬包紙の次包の薬包紙に印字するために『次の空包に印字する』の方を選択画面１２０１が受け付けた場合には、超過する処方種別の名称の印字を１包の薬包紙の次包の薬包紙に分割するように印字部に印刷指示するための印字データ１４０１を生成している（第１の印字データ生成手段）。
処方内容で指定された包数分の印字データを作成する。ステップＳ１３１４へ遷移する。
【００７０】
ステップＳ１３６１でコンピュータ３は、分割して分包する印字データを作成する処理である。処方内容で指定された包数分の印字データを作成する。ステップＳ１３１４へ遷移する。
図１４を説明する。
図１４の各図は薬剤分包装置による印字動作に必要な、印字データの１例を示す図である。
【００７１】
１４０１のパターンは、『強引に印字させる』が選択された場合にコンピュータにより生成される印字データである。薬品名３が薬品名１の右側の領域に逃げて強引に印字させる印字データを表している。
【００７２】
１４０２のパターンは、『次の空包に印字する』が選択された場合にコンピュータにより生成される印字データである。薬品名３は次包に印字されている。さらに、この印字データ１４０２は、『分割して分包する』が選択された場合にコンピュータにより生成される印字データにも適用される。
図１５を説明する。
図１５の各図は薬剤分包装置による分包動作に必要な、分包データの１例を示す図である。
１５０１のパターンは、『強引に印字させる』が選択された場合にコンピュータにより追加で生成された次包用の分包データである。
【００７３】
次包モードＮｏは０を設定する。例えば処方内容が、用法分３毎食後、包数２１包の場合、モードＮｏを０、次包には分包されないので、次包用の分包データとして包数は朝に０包、昼に０包、夕に０包が設定される。
【００７４】
さらに、この場合に対応する印字データは、１４０１である。次に分包機は、受け取った分包データを解析して、モードＮｏが０である為それぞれの服用時点に設定された値を追加する包数として解釈するのだが、それは０包（次包なし）である為次包は作成されず、印字データ１４０１を強引に空スペースに印字しながら包数分の分包動作を行う。分包結果の内容は１６０４のパターンである。
【００７５】
１５０２のパターンは、『次の空包に印字する』が選択された場合にコンピュータにより追加で生成された次包用の分包データである。次包モードＮｏは１を設定する。例えば処方内容が、用法分３毎食後、包数２１包の場合、モードＮｏを１、次包には錠剤は分包されないが、空包が作成されるので、次包用の分包データとしてそれぞれの服用時期の追加包数は、朝に１包、昼に１包、夕に１包が設定される。
【００７６】
また、それぞれの服用時期の空包数は、Ｓ１３３３により、２包や３包と多くなる場合もある。さらに、この場合に対応する印字データは、１４０２である。次に分包機は、受け取った分包データを解析して、モードＮｏが１である為それぞれの服用時点に設定された値を追加する包数として解釈する。それは１包（次包あり）である為、次包を作成し、服用時点毎に空包を追加しながら分包動作をし、また印字データ１４０２を次包に印字して包数分の分包動作を行う。分包結果の内容は１６０３のパターンである。
【００７７】
１５０３のパターンは、『分割して分包する』が選択された場合にコンピュータにより追加で生成された次包用の分包データである。次包モードＮｏ２の分包データである。例えば処方内容が、用法分３毎食後、包数２１包の場合、モードＮｏを２、それぞれの服用時期の追加包数は、次包にも錠剤が分包されるので、朝に１包、昼に１包、夕に１包が設定される。さらに次包に配分される薬品別の錠剤数も次包モードＮｏ２に対応づけられる。
【００７８】
１包の薬包紙の次包の薬包紙に分包する『分割して分包する』の方を選択画面１２０２が受け付けた場合には、受け付けた錠剤数の一部を１包の薬包紙の次包の薬包紙に配分した、分包部７０３、７０４に分包指示する分包データ１５０３が生成される（第１の分包データ生成手段）。
【００７９】
また、それぞれの服用時期の包数は、Ｓ１３６１により、２包や３包と多くなる場合もある。さらに、この場合に対応する印字データは、１４０２である。次に分包機は、受け取った分包データを解析して、モードＮｏが２である為、それぞれの服用時点に設定された値を追加する包数として解釈する。それは１包（次包あり）である為、次包を作成し、服用時点毎に追加した次包にも錠剤を分包しながら分包動作をし、印字データを印字して、包装分の分包動作を行う。分包結果の内容は、１６０２のパターンである。
図１６を説明する。
図１６の各図は分包動作後の、印字と分包結果の１例を示した図である。
１６０１のパターンは、通常の薬剤分包装置により印字及び分包された後の結果である。
１６０４のパターンは、『強引に印字させる』が選択された場合に薬剤分包装置により印字及び分包された後の結果である。
１６０３のパターンは、『次の空包に印字する』が選択された場合に薬剤分包装置により印字及び分包された後の結果である。
１６０２のパターンは、『分割して分包する』が選択された場合に薬剤分包装置により印字及び分包された後の結果である。
図１７を説明する。
１７００は操作メイン画面１００１において処方データの一覧リストから１つ選択された処方データの各項目（薬剤詳細）を個別に編集する画面である。
【００８０】
１７０１は錠剤種別ごとの固有名称を入力する欄である。錠剤種別ごとの名称が商品名の各欄に入力されると各服用タイミングにおいてそれぞれ薬包紙に印字すべき錠剤種別の名称またはそれぞれ分包すべき錠剤種別の固有名称として登録される。
【００８１】
１７０２は異なる錠剤種別の数がいくつかを識別するための欄である。新しく錠剤種別の数が一覧リストに追加されると各服用タイミングにおいてそれぞれ薬包紙に印字すべき錠剤種別の数またはそれぞれ分包すべき錠剤種別として登録される。
なお追加ボタンと削除ボタンにより、異なる錠剤種別の数を増減することができる。
【００８２】
１７０３は錠剤種別ごとに錠剤数を入力する欄である。錠剤種別ごとに錠剤数が朝食後、昼食後、夕食後の各欄に入力されると各服用タイミングに分けて薬包紙に分包すべき錠剤数（合計または小計）として登録される。
【００８３】
つまりコンピュータ３は、錠剤種別ごとの固有名称１７０１が入力され、異なる錠剤種別の数１７０２が特定されることよって、１包の薬包紙に印字するべき処方種別の名称および該処方種別の数を受け付けている（処方種別受付手段）。
【００８４】
つまりコンピュータ３は、錠剤種別ごとに錠剤数の１７０３が入力されることよって、１包の薬包紙に分包するべき処方種別の錠剤数を受け付けている（錠剤数受付手段）。
ＯＫボタンが押下されると、登録した内容を確定して画面を閉じる。また確定した内容は処方リスト１３０５一覧の中の各処方データとして登録される。
【００８５】
本発明により、分包紙の印字範囲を超えた情報を印字する場合、情報を失うことなく印字することが可能である。このことにより、分包後の監査作業時における欠落した薬剤名を処方箋で再確認する作業を無くすことが出来る。
【００８６】
また、１包内に収まりきれない錠剤数を分包する場合、次包に分けて残りの錠剤を包装することにより、錠剤を正しく分包することが出来、調剤過誤を無くすことが出来る。
以降、操作手順の一連の流れを、実施例を元に説明する。
始めに『空きスペースに強引に印字させて続行する』の場合の操作手順から順を追って説明する。
パソコンを起動すると、印字ソフトが起動してメイン画面を表示する。
【００８７】
次に、分包紙へ印字するレイアウト設定を行う。ツールメニュー内のレイアウトマスタ画面を選択して、レイアウトマスタ画面を表示する。レイアウトマスタ画面では、印字するレイアウトの内容を設定し、さらに１１０３は８０ｍｍであることを設定して画面を閉じる。ここでは例として、印字レイアウト（図１１）の内容を設定したことにする。
【００８８】
次に、基本的な患者情報を入力する。メイン画面の患者名（漢）入力欄に「テスト  太郎」と入力する。入力された情報は、患者名１１０１の位置に印字される。
【００８９】
次に、処方入力を行う。メイン画面の処方編集画面を選択すると、処方編集画面を表示する。ここでは例として、印字レイアウトは図１１、分包モードは錠剤のみ、分３毎食後、７日分（２１包）、登録薬品名は、薬品名１（毎食後１錠ずつ）、薬品名２（毎食後１錠ずつ）、薬品名３（毎食後１錠ずつ）を入力する。ＯＫボタンを選択して画面を閉じる。
次に、入力した処方内容を予約リストへ登録する。メイン画面の予約ボタンを選択する。この時、図１３のフローが処理される。
ステップＳ１３０１では、処理をしてステップＳ１３０２へ遷移する。
【００９０】
ステップＳ１３０２では、図１１に従って、入力された処方内容を仮の印字データを作成してはみ出さないかのチェックをする。この場合、薬品名３が分包紙よりはみ出てしまっている為、仮の印字データは１４０１のようになる。これより、ＹＥＳ判定となりステップＳ１３０３へ遷移する。
ステップＳ１３０３では、１２０１を画面に表示する。ステップＳ１３０４へ遷移する。
【００９１】
ステップＳ１３０４では、１２０１のボタンが選択されるまで待機する。ここでは、空きスペースに強引に印字させて続行する、を選択して、決定ボタンを選択する。ステップＳ１３０５へ遷移する。
ステップＳ１３０５では、空きスペースに強引に印字させて続行する、が選択されているので、ステップＳ１３０６へ遷移する。
ステップＳ１３０６では、モードＮｏを０に設定する。ステップＳ１３０７へ遷移する。
【００９２】
ステップＳ１３０７では、処方内容より、朝に服用される錠剤数は３錠、昼に服用される錠剤数は３錠、夕に服用される錠剤数は３錠、である。また、上限錠剤数は３錠と設定されているので、それぞれの服用時点の錠剤数は、上限錠剤数の３錠を超えていない為、ステップＳ１３１２へ遷移する。
ステップＳ１３１２では、モードＮｏが０である為、Ｙｅｓ判定となる。ステップＳ１３１３へ遷移する。
ステップＳ１３１３では、１４０１の印字データを作成して、パソコンに一時保存する。ステップＳ１３１４へ遷移する。
ステップＳ１３１４では、１５０１の分包データを作成して、パソコンに一時保存する。フローを終了する。
次に、１００１の予約リスト内に入力した処方内容が登録される。
次に、作業者が分包開始指示を行うと、予約リストに登録されている分包データ１５０１と印字データ１４０１を分包機へ送信する。
次に、分包機は受信した情報を解釈して分包動作を行う。分包が完了すると、１６０１の分包結果となる。
以上が『空きスペースに強引に印字する』の場合の操作手順である。
次に『空包を追加して、空包に印字させて続行する』の場合の手順を説明する。手順は、入力した処方内容を予約リストへ登録した時点から説明する。
ステップＳ１３０１では、処理をしてＳ１３０２へ遷移する。
【００９３】
ステップＳ１３０２では、図１１に従って、入力された処方内容を仮の印字データを作成してはみ出さないかのチェックをする。この場合、薬品名３が分包紙よりはみ出てしまっている為、仮の印字データは１４０１のようになる。これより、ＹＥＳ判定となりＳ１３０３へ遷移する。
ステップＳ１３０３では、１２０１を画面に表示する。ステップＳ１３０４へ遷移する。
【００９４】
ステップＳ１３０４では、１２０１のボタンが選択されるまで待機する。ここでは、空包を追加して、空包に印字させて続行する、を選択して、決定ボタンを選択する。Ｓ１３０５へ遷移する。
ステップＳ１３０５では、空包を追加して、空包に印字させて続行する、が選択されているので、ステップＳ１３３１へ遷移する。
ステップＳ１３３１では、モードＮｏを１に設定する。ステップＳ１３０７へ遷移する。
【００９５】
ステップＳ１３０７では、処方内容より、朝に服用される錠剤数は３錠、昼に服用される錠剤数は３錠、夕に服用される錠剤数は３錠、である。また、上限錠剤数は３錠と設定されているので、それぞれの服用時点の錠剤数は、上限錠剤数の３錠を超えていない為、ステップＳ１３１２へ遷移する。
ステップＳ１３１２では、モードＮｏが１である為、Ｎｏ判定となる。Ｓ１３３２へ遷移する。
ステップＳ１３３２では、モードＮｏが１である為、Ｙｅｓ判定となる。Ｓ１３３３へ遷移する。
ステップＳ１３３３では、印字データを作成して、パソコンに一時保存する。Ｓ１３１４へ遷移する。
ステップＳ１３１４では、１５０２の分包データを作成して、パソコンに一時保存する。フローを終了する。
次に、１００１の予約リスト内に入力した処方内容が登録される。
次に、作業者が分包開始指示を行うと、予約リストに登録されている処方内容として分包データ１５０２と印字データ１４０２を分包機へ送信する。
次に、分包機は受信した情報を解釈して分包動作を行う。分包が完了すると、１６０２の分包結果となる。
以上が『空包を追加して空包に印字させて続行する』場合の手順である。
次に『分割して分包する』場合の手順を説明する。手順は、レイアウト設定を完了した時点から説明する。
【００９６】
次に、基本的な患者情報を入力する。メイン画面の患者名（漢）入力欄に「テスト  太郎」と入力する。入力された情報は、患者名１１０１の位置に印字される。
【００９７】
次に、処方入力を行う。メイン画面の処方編集画面を選択すると、処方編集画面を表示する。ここでは例として、印字レイアウトは図１１、分包モードは錠剤のみ、分３毎食後、７日分（２１包）、登録薬品名は、薬品名１（毎食後２錠ずつ）、薬品名２（毎食後２錠ずつ）、薬品名３（毎食後２錠ずつ）を入力する。ＯＫボタンを選択して画面を閉じる。
次に、入力した処方内容を予約リストへ登録する。メイン画面の予約ボタンを選択する。この時、図１３のフローが処理される。
ステップＳ１３０１では、処理をしてステップＳ１３０２へ遷移する。
【００９８】
ステップＳ１３０２では、図１１に従って、入力された処方内容を仮の印字データを作成してはみ出さないかのチェックをする。この場合、薬品名３が分包紙よりはみ出てしまっている為、仮の印字データは１４０１のようになる。これより、ＹＥＳ判定となりＳ１３０３へ遷移する。
ステップＳ１３０３では、１２０１を画面に表示する。ステップＳ１３０４へ遷移する。
【００９９】
ステップＳ１３０４では、１２０１のボタンが選択されるまで待機する。ここでは、空きスペースに強引に印字させて続行する、を選択して、決定ボタンを選択する。ステップＳ１３０５へ遷移する。
ステップＳ１３０５では、空きスペースに強引に印字させて続行する、が選択されているので、ステップＳ１３０６へ遷移する。
ステップＳ１３０６では、モードＮｏを０に設定する。Ｓ１３０７へ遷移する。
【０１００】
ステップＳ１３０７では、処方内容より、朝に服用される錠剤数は６錠、昼に服用される錠剤数は６錠、夕に服用される錠剤数は６錠、である。また、上限錠剤数は３錠と設定されているので、それぞれの服用時点の錠剤数は、上限錠剤数の３錠を超えている為、ステップＳ１３０８へ遷移する。
ステップＳ１３０８では、１２０２を表示する。ステップＳ１３０９へ遷移する。
【０１０１】
ステップＳ１３０９では、１２０２のボタンが選択されるまで待機する。ここでは、分割して分包する、を選択して、決定ボタンを選択する。ステップＳ１３１０へ遷移する。
ステップＳ１３１０では、分割して分包する、が選択されているので、ステップＳ１３１１へ遷移する。
ステップＳ１３１１では、モードＮｏを２に設定する。ステップＳ１３１２へ遷移する。
ステップＳ１３１２では、モードＮｏが２である為、Ｎｏ判定となる。ステップＳ１３３２へ遷移する。
ステップＳ１３３２では、モードＮｏが２である為、Ｎｏ判定となる。ステップＳ１３６１へ遷移する。
ステップＳ１３６１では、１４０２の印字データを作成して、パソコンに一時保存する。Ｓ１３１４へ遷移する。
ステップＳ１３１４では、１５０３の分包データを作成して、パソコンに一時保存する。フローを終了する。
次に、１００１の予約リスト内に入力した処方内容が登録される。
次に、作業者が分包開始指示（メイン画面１００２のスタートボタン押下）を行うと、予約リストに登録されている処方データに関連する分包データ１５０３と印字データ１４０２を分包機へ送信する。
次に、分包機は受信した情報（分包データ１５０３と印字データ１４０２）を解釈して分包動作を行う。分包が完了すると、１６０３の分包結果となる。
以上が『分割して分包する』の場合の手順である。
【０１０２】
本発明を実現するための後述する各種プログラムは、外部メモリに記録されており、必要に応じてＲＡＭにロードされることによりＣＰＵによって実行されるものである。さらに、上記プログラムの実行時に用いられるデータファイル及びデータテーブル等も、外部メモリまたは記憶部に格納されている。
【０１０３】
また、本発明におけるプログラムは、フローチャートの処理を制御コンピュータ３が実行可能なプログラムであり、本発明の記憶媒体はフローチャートの処理方法を実行可能なプログラムとして記憶している。
【０１０４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１０５】
この場合、記録媒体から読み出されたプログラム自体が本発明の新規な機能を実現することになり、そのプログラムを記憶した記録媒体は本発明を構成することになる。
【０１０６】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１０７】
また、読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０８】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１１０】
さらに、本発明を達成するためのプログラムをネットワーク上のサーバ，データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
【符号の説明】
【０１１１】
１        錠剤取出しユニット
３        制御コンピュータ（印字ソフトウエア）
５        薬剤分包装置
１０      錠剤供給装置
１７      検出機構
１８      錠剤シートが載置される載置台
２４      導入シュート
３０      排出口
３９      下部ローラ
５０      錠剤
５１      錠剤シート（ＰＴＰシート）
５２      錠剤収容部
８３      内部押圧体
８４      外部押圧体
９３      第１昇降体  
９４      カム
９８      第２昇降体
９９      カム
１０３    錠剤マス
１０４    タッチパネルＬＣＤ
２０３    ＰＴＰシート投入口
２０４    光学センサ
４００    錠剤供給ユニット
４０１    錠剤導入路
５０５    メインホッパ
７０１    包装装置内の包装ユニット
７０２    ロール紙送出機構
７０３    包装機構（分包部）
７０４    包装機構（分包部）
７０５    分断機構
７０６    プリンタ（印字部）
【図１】
2014162504.tif 000003
【図２】
2014162504.tif 000004
【図３】
2014162504.tif 000005
【図４】
2014162504.tif 000006
【図５】
2014162504.tif 000007
【図６】
2014162504.tif 000008
【図７】
2014162504.tif 000009
【図８】
2014162504.tif 000010
【図９】
2014162504.tif 000011
【図１０】
2014162504.tif 000012
【図１１】
2014162504.tif 000013
【図１２】
2014162504.tif 000014
【図１３】
2014162504.tif 000015
【図１４】
2014162504.tif 000016
【図１５】
2014162504.tif 000017
【図１６】
2014162504.tif 000018
【図１７】
2014162504.tif 000019